(57)【要約】【課題】建具の防火性能を向上させることにある。【解決手段】室内外を仕切る開口に備えられ、ラッチを有する開閉可能な扉と、前記ラッチを受けるラッチ受が設けられたラッチ受具備部と、を有する建具であって、前記ラッチ受は、フロント部材と、ラッチ受本体と、を有し、該ラッチ受本体内に収容された係合部材と、火災の際に熱を受け取ることにより前記係合部材を付勢する付勢部と、を有することを特徴とする。【選択図】図４
2018021332.tif 000002
【特許請求の範囲】
【請求項１】
室内外を仕切る開口に備えられ、ラッチを有する開閉可能な障子と、
前記ラッチを受けるラッチ受が設けられたラッチ受具備部と、を有する建具であって、
前記ラッチ受は、フロント部材と、ラッチ受本体と、を有し、
該ラッチ受本体内に収容された係合部材と、
火災の際に熱を受け取ることにより前記係合部材を付勢する付勢部と、を有することを特徴とする建具。
【請求項２】
請求項１に記載の建具であって、
前記付勢部は、
火災の際に熱を受け取ることにより発泡して前記係合部材を付勢する加熱発泡材を有することを特徴とする建具。
【請求項３】
請求項２に記載の建具であって、
前記付勢部は、
前記係合部材を前記ラッチ受本体に締結し、火災の際に熱を受け取ることにより溶融する締結部材を有することを特徴とする建具。
【請求項４】
請求項１乃至請求項３のいずれかに記載の建具であって、
前記係合部材は、前記付勢部により付勢された際に前記ラッチ受のフロント部材から突出する突出部と、
前記ラッチ受本体と係止する係止部と、
を備え、
前記付勢部は、前記ラッチ受本体と前記係止部との間であって、
前記ラッチ受本体の室内外方向における室外側に配置されることを特徴とする建具。
【請求項５】
請求項４に記載の建具であって、
前記ラッチ受本体は、前記ラッチ受本体の室内外方向における室内側に、前記係合部材の係止部と係合する係合片を有することを特徴とする建具。
【請求項６】
請求項１乃至請求項５のいずれかに記載の建具であって、
前記ラッチ受具備部は、前記開口を形成する左右の縦枠との間にＦＩＸ部を構成する方立又は障子であることを特徴とする建具。
【発明の詳細な説明】
【技術分野】
【０００１】
本発明は、建具に関する。
【背景技術】
【０００２】
室内外を仕切る開口に備えられ、ラッチを有する開閉可能な障子を備えた玄関ドア等の建具は、既によく知られている。この建具には、ラッチを受けるラッチ受が設けられたラッチ受具備部（方立、縦枠、扉等）が設けられている。
【先行技術文献】
【特許文献】
【０００３】
【特許文献１】実開昭６２−３６９３０号公報
【発明の概要】
【発明が解決しようとする課題】
【０００４】
このような従来の建具においては、火災の際に障子やラッチ受具備部が変形することにより、ラッチがラッチ受から外れる場合があった。そして、かかる場合には、障子が開放してしまい、火炎の通り道が生ずる問題が発生していた。
【０００５】
本発明は、かかる課題に鑑みてなされたものであり、その目的とするところは、建具の防火性能を向上させることにある。
【課題を解決するための手段】
【０００６】
かかる目的を達成するために本発明の建具は、室内外を仕切る開口に備えられ、ラッチを有する開閉可能な障子と、
前記ラッチを受けるラッチ受が設けられたラッチ受具備部と、を有する建具であって、
前記ラッチ受は、フロント部材と、ラッチ受本体と、を有し、
該ラッチ受本体内に収容された係合部材と、
火災の際に熱を受け取ることにより前記係合部材を付勢する付勢部と、を有することを特徴とする建具である。
【０００７】
このような建具によれば、火災の際に障子やラッチ受け具備部が変形した場合であっても、火災の際に熱を受け取ることにより係合部材が付勢され、ラッチと係合部材が係合することによって障子の開放が抑えられ、火炎の通り道が生じてしまう問題を抑止することができる。したがって、建具の防火性能を向上させることが可能となる。
【０００８】
かかる建具であって、
前記付勢部は、
火災の際に熱を受け取ることにより発泡して前記係合部材を付勢する加熱発泡材を有することが望ましい。
【０００９】
このような建具によれば、火災の際に熱を受け取った加熱発泡材が膨張することで係合部材を付勢し、ラッチと係合部材が係合することによって障子の開放が抑えられ、火炎の通り道が生じてしまう問題を抑止することができる。
【００１０】
かかる建具であって、
前記付勢部は、
前記係合部材を前記ラッチ受本体に締結し、火災の際に熱を受け取ることにより溶融する締結部材を有することが望ましい。
【００１１】
このような建具によれば、非火災時において係合部材をラッチ受け本体に確実に固定することができ、係合部材の誤動作や経年変化による外れを防止することができる。
【００１２】
かかる建具であって、
前記係合部材は、前記付勢部により付勢された際に前記ラッチ受のフロント部材から突出する突出部と、
前記ラッチ受本体と係止する係止部と、
を備え、
前記付勢部は、前記ラッチ受本体と前記係止部との間であって、
前記ラッチ受本体の室内外方向における室外側に配置されることが望ましい。
【００１３】
このような建具によれば、付勢部により付勢された突出部がフロント部材から突出した状態における該突出部の突出方向が、フロント部材の法線方向に対して斜めの方向となるため、ラッチ受け具備部が変形した状態においても、突出部がラッチと適切に係合できるようになる。そのため、火災時における障子の開動作をより適切に止めることが可能となる。
【００１４】
かかる建具であって、
前記ラッチ受本体は、前記ラッチ受本体の室内外方向における室内側に、前記係合部材の係止部と係合する係合片を有することが望ましい。
【００１５】
このような建具によれば、係合部材が係合片を支点にして付勢されることにより、突出部がフロント部材から突出した状態における該突出部の突出方向が、フロント部材の法線方向に対してより適切に斜めの方向となる。そのため、ラッチ受け具備部が変形した状態においても、突出部がラッチとより適切に係合できるようになる。
【００１６】
かかる建具であって、
前記ラッチ受具備部は、前記開口を形成する左右の縦枠との間にＦＩＸ部を構成する方立又は障子であることが有効である。
【００１７】
このような建具によれば、方立又は障子は火災の際に熱変形が起こり易いため、本発明がより有効に働くこととなる。
【発明の効果】
【００１８】
本発明によれば、建具の防火性能を向上させることが可能となる。
【図面の簡単な説明】
【００１９】
【図１】玄関ドア１０の正面図である。
【図２】玄関ドア１０の横断面図である。
【図３】ラッチ３２及びラッチ受２２を示した横断面図である。
【図４】火災が発生したときの本件例に係る玄関ドア１０の様子を示した図である。
【図５】火災が発生したときの従来例に係る玄関ドア１０の様子を示した図である。
【発明を実施するための形態】
【００２０】
本実施の形態に係る建具の一例としての玄関ドア１０について、図１及び図２を用いて説明する。
【００２１】
なお、以下の説明においては、建物等に取り付けられた状態の玄関ドア１０を室内側から見たときに、上下となる方向を上下方向、左右となる方向を左右方向、室内外方向である奥行き方向を見込み方向として示す。玄関ドア１０の各部位であっても、また、玄関ドア１０を構成する各部材については単体の状態であっても、建物等に取り付けられた状態にて上下方向、左右方向、見込み方向となる方向にて方向を特定して説明する。
【００２２】
本実施の形態に係る玄関ドア１０は、所謂両袖ＦＩＸ枠を備える玄関ドアである。すなわち、玄関ドア１０は、上枠１２と下枠１４と二つの縦枠１６を備える枠体と、左右方向において二つの縦枠１６の間に互いに間隔を隔てて設けられた二つの方立２０と、を有している。上枠１２と下枠１４は、左右方向に延びた長尺状の部材であり、縦枠１６と方立２０は上下方向に延びた長尺状の部材である。
【００２３】
そして、縦枠１６と方立２０との間には、採光のためにガラス１８が設けられ、二つの方立２０の間には、障子の一例としての扉３０が設けられている。上枠１２と下枠１４と縦枠１６と方立２０により形成された室内外を仕切る開口にガラス１８が取り付けられ、上枠１２と下枠１４と二つの方立２０により形成された室内外を仕切る開口に扉３０が取り付けられている。なお、扉３０は開閉可能に開口に取り付けられている一方で、ガラス１８は開閉不可能に開口に取り付けられている。
【００２４】
また、扉３０には、ラッチ３２が設けられ、方立２０（２つある方立２０のうち右側に位置する方立２０。ラッチ受具備部に相当）には、ラッチ受２２が設けられている。そして、扉３０が閉じた際には、ラッチ３２がラッチ受２２内に進入し、扉３０の開放が抑止される。一方で、扉３０を開ける際には、ハンドルを操作して、ラッチ３２をラッチ受２２から退出させることにより、扉３０を開放させることができるようになっている。
【００２５】
次に、ラッチ３２及びラッチ受２２の構成について、主として、図３を参照しつつ説明する。
【００２６】
扉３０が閉じた際には、扉３０の左右方向における右端面（面外方向が左右方向に沿う面。以下、扉対向面３０ａと呼ぶ）と、方立２０の左右方向における左端面（面外方向が左右方向に沿う面。以下、方立対向面２０ａと呼ぶ）とが対向する。そして、扉対向面３０ａにラッチ３２が、方立対向面２０ａにラッチ受２２が備えられており、扉３０が閉じた際にラッチ３２とラッチ受２２が対向するようになっている。
【００２７】
ラッチ３２は、ラッチ受２２と協働して、扉３０が閉じた際に扉３０が開放しないようにする役割を果たす。ラッチ３２は、金属製の部材であり、扉対向面３０ａ（扉３０）の上下方向における略中央に設けられている。ラッチ３２は、横断面において、略三角形状を有している。
【００２８】
具体的には、ラッチ３２は、扉３０が閉じた状態で左右方向に沿い（面外方向が見込み方向に沿い）後述する室内側面３２ｂよりも扉開放側（つまり、扉３０が開く際に扉３０が移動する側。本実施の形態においては室外側）に位置する室外側面３２ａと、扉３０が閉じた状態で見込み方向及び左右方向に対して斜めの方向に沿い室外側面３２ａよりも扉閉じ方向側（室内側）に位置する室内側面３２ｂと、を有している。
【００２９】
また、当該室外側面３２ａの方立２０側の端部（左右方向において右側の端部）と当該室内側面３２ｂの方立２０側の端部（左右方向において右側且つ見込み方向において室外側の端部）は、双方を繋ぐ面（便宜上、繋ぎ面３２ｃと呼ぶ）で繋がれている。この繋ぎ面３２ｃは、見込み方向に沿っている（面外方向が左右方向に沿っている）。
【００３０】
そして、本実施の形態に係るラッチ３２は、前記ハンドルの動きに連動して、扉対向面３０ａの面外方向に移動可能となっている。すなわち、ラッチ３２は、ハンドルの操作がされないときには、扉３０が開いているか閉じているかに関わらず、不図示の付勢機構により扉対向面３０ａから突出した（露出した）状態となっている。そして、この状態でハンドルが操作されると、ラッチ３２は、前記扉対向面３０ａの面外方向に（扉が閉じている際には左右方向）に移動して、ラッチ３２の拘束が解除される。
【００３１】
ラッチ受２２は、ラッチ３２と協働して、扉３０が閉じた際に扉３０が開放しないようにする役割を果たす。ラッチ受２２は、金属製の部材であり、方立対向面２０ａ（方立２０）の上下方向における略中央に設けられている。ラッチ受２２は、フロント部材２３と裏板部材２４とを有している。
【００３２】
フロント部材２３は、ラッチ受２２のうち方立対向面２０ａを覆うように当該方立対向面２０ａに方立２０の外側から取り付けられている部分である。一方、裏板部材２４は、方立２０の内部に設けられており、横断面において（図３において）略コの字形状を有しラッチ３２を収容するための収容空間Ｓ（ラッチ３２を受けるための窪み）を形成している。すなわち、裏板部材２４は、左右方向に沿い（面外方向が見込み方向に沿い）後述する室内側部２４ｂよりも扉開放側（室外側）に位置する室外側部２４ａと、左右方向に沿い（面外方向が見込み方向に沿い）室外側部２４ａよりも扉閉じ方向側（室内側）に位置する室内側部２４ｂと、見込み方向に沿う（面外方向が左右方向に沿う）底部２４ｃと、を有しており、これらの面で図３に示した収容空間Ｓが画定されている。
【００３３】
また、フロント部材２３には、矩形の開口部２３ａが設けられており、当該開口部２３ａの形状及び寸法は、収容空間Ｓの開口の形状及び寸法と略一致している。
【００３４】
そして、扉３０が閉じているときには、図３に示すように、ラッチ３２は、扉対向面３０ａから突出し（露出し）、ラッチ受２２の収容空間Ｓに収容されている（つまり、ラッチ受２２がラッチ３２を受けている）。かかる状態においては、扉３０が室外側へ移動しようとしても、ラッチ３２（具体的には、ラッチ３２の室外側面３２ａ）がラッチ受２２に引っ掛かって、扉３０が開かないようになっている。
【００３５】
また、本実施の形態に係るラッチ受２２には、玄関ドア１０の防火性能を向上させるための仕組みが施されている（火災に対する対策部品が設けられている）。すなわち、火災の際にラッチ３２と係合し、扉３０の開動作を止めるための係合部材４０と、当該係合部材４０を付勢してラッチ３２と係合させる付勢部（本実施の形態においては、加熱発泡材５０及び樹脂リベット５２）とが、ラッチ受２２に取り付けられている。換言すれば、火災の際にラッチ受２２から押し出されてラッチ３２と係合し、扉３０の開動作を止めるための係合部材４０と、当該係合部材４０をラッチ受２２から押し出してラッチ３２と係合させる押出部（加熱発泡材５０及び樹脂リベット５２）とが、ラッチ受２２に取り付けられている。
【００３６】
以下では、先ず、火災が発生したときに従来の玄関ドア１０（すなわち、当該対策部品が設けられていない玄関ドア１０）に生ずる問題点について説明する。そして、かかる説明に引き続いて、対策部品の構成について説明し当該対策部品により前記問題点がどのように解決されるかについて述べる。
【００３７】
従来の玄関ドア１０においては、火災の際に扉３０や方立２０が変形することにより、ラッチ３２がラッチ受２２から外れる場合があった。そして、かかる場合には、扉３０が開放してしまい、火炎の通り道が生ずる問題が発生していた。
【００３８】
当該問題について、一例を挙げて、図５を用いて説明する。図５は、火災が発生したときの従来例に係る玄関ドア１０の様子を示した図である。
【００３９】
火災が発生していない状態においては、扉３０が閉じており、ラッチ３２は、ラッチ受２２の収容空間Ｓに正常に収容されている。
【００４０】
かかる状態において、室外側で火災が発生すると、扉３０が火炎により熱せられる。この場合には、扉３０の室外側は室内側よりも高温となり、室外側の扉３０の伸びが室内側と比べて顕著となることから、扉３０は室外側でより大きく変形する。そして、方立２０も、扉３０と同様、室外側でより高温となり上下方向の伸びを枠体により阻害されるため、室外側に反るような伸び方をする。つまり、図５に示すような方立２０の変形が発生する。
【００４１】
そうすると、図５に示すように、扉３０の扉対向面３０ａと方立２０の方立対向面２０ａが平行でなくなり（角度を有するようになり）、最終的には、ラッチ３２がラッチ受２２から外れてしまう。そして、かかる場合には、扉３０が開放し、開放した部分に火炎の通り道が生じてしまう問題が発生する。
【００４２】
かかる問題に対処するため、本実施の形態に係るラッチ受２２には、図３に示すように、係合部材４０と付勢部（加熱発泡材５０及び樹脂リベット５２）が設けられている。
【００４３】
係合部材４０は、火災の際にラッチ３２と係合し、扉３０の開動作を止める役割を果たす部材である。この係合部材４０は、横断面においてＬ字形状を有する金具である。すなわち、係合部材４０は、裏板部材２４と対向し見込み方向に沿った第一部分４２（係止部に相当）と当該第一部分４２の一端部（室外側の端部）から左右方向に扉対向面３０ａへ向かって延出した第二部分４４（突出部に相当）とを備えている。
【００４４】
そして、当該係合部材４０は、ラッチ受２２内（収容空間Ｓ）に収容されている。具体的には、第一部分４２が前述した底部２４ｃに平行となるように、第二部分４４が前述した室外側部２４ａと平行となるように設けられている。なお、第二部分４４は、室外側部２４ａと接触する一方で、第一部分４２は底部２４ｃとは接触していない（第一部分４２と底部２４ｃとの間には、後述するように、加熱発泡材５０が設けられている）。さらに、第一部分４２の他端（室内側の端）は、室内側部２４ｂと接触しており、第二部分４４の先端は、フロント部材２３まで至っている（しかしながら、フロント部材２３を越えてはいない）。
【００４５】
また、本実施の形態においては、室内側部２４ｂの左右方向における中央部に係合部材４０を引っ掛けるための係合片２４ｄが設けられている。この係合片２４ｄは室内側部２４ｂから見込み方向に室外側へ向かって突出している。そして、当該係合片２４ｄに、係合部材４０が引っ掛けられている（係止されている）。すなわち、第一部分４２の他端部が、係合片２４ｄの左右方向における底部２４ｃ側の面に接触している。
【００４６】
付勢部は、火災の際に熱を受け取ることにより係合部材４０を付勢してラッチ３２と係合させるためのものである。本実施の形態に係る付勢部は、加熱発泡材５０及び締結部材の一例としての樹脂リベット５２を有している。
【００４７】
加熱発泡材５０は、火災の際に熱を受け取ることにより発泡して係合部材４０を付勢するためのものである。この加熱発泡材５０は、係合部材４０の第一部分４２と裏板部材２４の底部２４ｃとの間に設けられており、第一部分４２に貼り付けられている。また、当該加熱発泡材５０は、第一部分４２のうちの室外側に片寄って取り付けられている。すなわち、加熱発泡材５０は、第一部分４２の室外側の端まで至っているものの室内側の端までには至っていない。
【００４８】
樹脂リベット５２は、係合部材４０をラッチ受本体２２ａ（本実施の形態においては、裏板部材２４）に締結し、火災の際に熱を受け取ることにより溶融する部材である。この樹脂リベット５２は、係合部材４０の第一部分４２（裏板部材２４の底部２４ｃ）の見込み方向における中央部に位置し、第一部分４２を底部２４ｃに固定している。そのため、通常時（非火災時）には、係合部材４０は作動しないようになっている。
【００４９】
そして、係合部材４０及び付勢部（加熱発泡材５０及び樹脂リベット５２）は、火災が発生した際に、以下のように作用する（図４参照）。
【００５０】
すなわち、樹脂リベット５２は、熱を受け取ることにより溶融する。そのため、係合部材４０に対して拘束する部材がなくなり、係合部材４０は移動することができるようになる。
【００５１】
また、加熱発泡材５０は、熱を受け取ることにより発泡して拡大する。そして、当該加熱発泡材５０は、係合部材４０の第一部分４２の室外側の部分を押す。係合部材４０は、加熱発泡材５０に押されて、前記係合片２４ｄを支点にして回転しながら移動して、ラッチ受２２から押し出される。すなわち、第二部分４４が、フロント部材２３から突出する。
【００５２】
前述したとおり（また、図５に示したとおり）、火災が発生すると、扉３０や方立２０が変形する。そして、扉３０の扉対向面３０ａと方立２０の方立対向面２０ａが平行でなくなり（角度を有するようになり）、最終的には、ラッチ３２がラッチ受２２から外れてしまう。しかしながら、図４に示されているように、本実施の形態においては、付勢部により付勢された係合部材４０（第二部分４４）が、ラッチ３２と係合するため、扉３０の開動作を止めることが可能となる。つまり、係合部材４０は、扉３０が開放することを抑える役割を果たす。
【００５３】
このように、本実施の形態に係る玄関ドア１０（建具）は、室内外を仕切る開口に備えられ、ラッチ３２を有する開閉可能な扉３０と、ラッチ３２を受けるラッチ受２２が設けられた方立２０と、を有し、ラッチ受２２は、フロント部材２３と、裏板部材２４と、を有し、  該裏板部材２４内に収容された係合部材４０と、火災の際に熱を受け取ることにより係合部材４０を付勢する付勢部と、を有することとした。そのため、扉３０の開放が抑えられ、火炎の通り道が生じてしまう問題を抑止することができる。したがって、玄関ドア１０の防火性能を向上させることが可能となる。
【００５４】
また、本実施の形態においては、図４に示すように、付勢部（加熱発泡材５０）が、裏板部材２４と第一部分４２との間であって、裏板部材２４の室内外方向における室外側に配置されることとした。
【００５５】
そのため、付勢部により付勢された第二部分４４がフロント部材２３から突出した状態における第二部分４４の突出方向（図４において、矢印Ａ１で示す）は、フロント部材２３の法線方向（図４において、矢印Ａ２で示す）に対して斜めの方向となる。
【００５６】
つまり、本例においては、加熱発泡材５０が第一部分４２のうちの室外側に片寄って位置しているので、加熱発泡材５０は第一部分４２の室外側の部分を押す。そのため、係合部材４０は、加熱発泡材５０に押されて、回転しながら移動してラッチ受２２から押し出される。したがって、第二部分４４の突出方向は、前記法線方向に対して斜めの方向となる。
【００５７】
一方で、前述したとおり、火災の際には、扉３０の扉対向面３０ａと方立２０の方立対向面２０ａが平行でなくなる（角度を有するようになる）。そのため、図４に示すように、第二部分４４の突出方向を前記斜めの方向とすれば、当該突出方向をラッチ３２の室外側面３２ａの方向（つまり、面内方向）となるべく一致させることが可能となる。したがって、方立２０が変形した状態においても、第二部分４４が、ラッチ３２と適切に係合できるようになり、火災時における扉３０の開動作をより適切に止めることが可能となる。
【００５８】
また、本実施の形態に係る裏板部材２４は、裏板部材２４の室内外方向における室内側に、係合部材４０の第一部分４２と係合する係合片２４ｄを有することとした。
【００５９】
そのため、係合部材４０が係合片２４ｄを支点にして付勢されることにより、第二部分４４がフロント部材２３から突出した状態における第二部分４４の突出方向Ａ１が、フロント部材２３の法線方向Ａ２に対してより適切に斜めの方向となる。そのため、方立２０が変形した状態においても、第二部分４４がラッチ３２とより適切に係合できるようになる。
【００６０】
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００６１】
上記実施の形態においては、建具として、両袖ＦＩＸ枠を備える玄関ドアを例に挙げて説明したが、これに限定されるものではない。例えば、片袖ＦＩＸ枠を備える玄関ドアであってもよい。また、建具は、袖ＦＩＸ枠を備えない玄関ドアであってもよいし、玄関ドア以外の建具であってもよい。すなわち、ラッチを有する開閉可能な障子と、該障子が閉じた際に前記ラッチを受けるラッチ受が設けられたラッチ受具備部と、を有する建具であれば、どのようなものにも本発明を適用できる。
【００６２】
また、上記実施の形態においては、障子として扉３０を例に挙げて説明したが、これに限定されるものではない。例えば、内倒し窓などのラッチを有する窓であってもよい。
【００６３】
また、上記実施の形態においては、ラッチ受が設けられたラッチ受具備部として、縦枠との間に袖ＦＩＸ枠を構成する方立２０を例に挙げて説明したが、これに限定されるものではない。例えば、ラッチ受具備部は、縦枠であってもよいし、障子（子扉や両扉）であってもよい。
【００６４】
ラッチ受具備部が、方立２０や障子である場合には、縦枠である場合と比べて、本発明の作用効果がより有効に働くことになる。すなわち、ラッチ受具備部が縦枠の場合には、縦枠は、躯体に対し強固に固定されているため、火災の際に熱変形が比較的起こりにくい。これに対し、ラッチ受具備部が方立２０や障子の場合には、方立２０（障子）の上下端が枠体に固定されているのみなので、火災の際に熱変形が比較的起こり易い（熱伸びによる反りが生じやすい）。したがって、ラッチ受具備部が方立又は障子である場合には、本発明がより有効に働くこととなる。
【００６５】
また、上記実施の形態において、付勢部は、係合部材４０をラッチ受本体２２ａに締結し、火災の際に熱を受け取ることにより溶融する締結部材（樹脂リベット５２）を有することとした。しかしながら、これに限定されるものではなく、当該締結部材（樹脂リベット５２）を有しないこととしてもよい。
【００６６】
ただし、締結部材（樹脂リベット５２）が設けられている場合には、非火災時において係合部材４０を裏板部材２４に確実に固定することができ、係合部材４０の誤動作や経年変化による外れを防止することができる。かかる点で、上記実施の形態の方が望ましい。
【００６７】
また、上記実施の形態において、付勢部は、火災の際に熱を受け取ることにより発泡して係合部材４０を付勢する加熱発泡材５０を有することとした。しかしながら、これに限定されるものではなく、加熱発泡材５０を有さない例も考えられる。
【００６８】
例えば、付勢部が、係合部材４０を該係合部材４０の押し出し方向に付勢するバネ等の付勢部材と、係合部材４０をラッチ受本体２２ａに締結し、火災の際に熱を受け取ることにより溶融する締結部材（樹脂リベット５２）と、を有することとしてもよい。すなわち、上記実施形態の加熱発泡材５０に代えて、付勢部材としてもよい。
【００６９】
双方の例を比較した場合に、後者の場合には、付勢部材が、通常時か火災時かに関わらず係合部材４０を付勢しているため、締結部材（樹脂リベット５２）が必須となるのに対し、前者（上記実施の形態）の場合には、加熱発泡材５０が火災時に初めて係合部材４０を付勢するため、締結部材（樹脂リベット５２）が必ずしも必要ない。したがって、前者（上記実施の形態）は、付勢部の構成を簡易にすることができる点で優位性を有する。一方、後者は、バネや樹脂リベットなど比較的入手しやすい部品で付勢部を構成することができる点で優位性を有する。
【符号の説明】
【００７０】
１０  玄関ドア
１２  上枠、１４  下枠、１６  縦枠
１８  ガラス
２０  方立、２０ａ  方立対向面
２２  ラッチ受、２２ａ  ラッチ受本体
２３  フロント部材、２３ａ  開口部
２４  裏板部材、２４ａ  室外側部、２４ｂ  室内側部
２４ｃ  底部、２４ｄ  係合片
３０  扉、３０ａ  扉対向面
３２  ラッチ、３２ａ  室外側面、３２ｂ  室内側面、３２ｃ  繋ぎ面
４０  係合部材、４２  第一部分、４４  第二部分
５０  加熱発泡材、５２  樹脂リベット
Ｓ  収容空間
【図１】
2018021332.tif 000003
【図２】
2018021332.tif 000004
【図３】
2018021332.tif 000005
【図４】
2018021332.tif 000006
【図５】
2018021332.tif 000007